(57)【要約】【課題】本発明は主として湿地を走行するゴムクロ−ラに係るもので、スプロケット歯との係合穴を通り抜けた泥玉の発生をなくし、かつ振動の低減を達成したものである。【解決手段】無端ゴム弾性体と、この長手方向に一定ピッチをもって埋設された芯金と、この芯金に対し外側より囲んでなるスチ−ルコ−ドと、芯金の間に形成されたスプロケットとの係合部と、無端ゴム弾性体の外周面に形成したラグと、からなるゴムクロ−ラであって、スプロケットとの係合部は有底の窪みをなしていることを特徴とするゴムクロ−ラで、ラグは当該有底の窪みの外側に形成されるのがよい。１‥ゴム弾性体、２‥芯金、２ａ‥芯金の中央部、２ｂ、２ｃ‥芯金の翼部、２ｄ‥突起、３‥スチ−ルコ−ド、４ａ、４ｂ‥ラグ、５０‥窪み、Ａ、Ｂ‥平面部【選択図】図３
2004216936.tif 000002
【特許請求の範囲】
【請求項１】
無端ゴム弾性体と、この長手方向に一定ピッチをもって埋設された芯金と、この芯金に対し外側より囲んでなるスチ−ルコ−ドと、芯金の間に形成されたスプロケットとの係合部と、無端ゴム弾性体の外周面に形成したラグと、からなるゴムクロ−ラであって、スプロケットとの係合部は有底の窪みをなしていることを特徴とするゴムクロ−ラ。
【請求項２】
前記ラグは、当該有底の窪みの外側に形成された請求項１記載のゴムクロ−ラ。
【請求項３】
前記ラグは、ゴム弾性体の幅方向に向かって傾斜配置され、更に、ゴム弾性体の幅方向の左右の半分視で、幅方向端部に達する長ラグと中途で途切れる短ラグとが交互に配置された請求項１又は２記載のゴムクロ−ラ。
【発明の詳細な説明】
【０００１】
【発明の属する技術分野】
本発明はゴムクロ−ラの新規な構造に関するものであり、更に詳しくは、主として湿地を走行するゴムクロ−ラに係るものである。
【０００２】
【従来の技術】
湿地を走行するに適したゴムクロ−ラは、無端ゴム弾性体の長手方向に一定ピッチをもって芯金が埋設され、この外側をスチ−ルコ−ドにて囲まれた構造をしており、外側にはラグが形成され、芯金間にはスプロケットが噛み合う係合穴がゴム弾性体の内外を貫いて形成されている。
【０００３】
図８はこの従来から広く存在するゴムクロ−ラの内周側平面図、図９は外周側平面図、図１０はＢ−Ｂ線での断面図である。１はゴム弾性体であって、図８において紙面の上下に連続する。２はゴム弾性体１中に一定ピッチをもって埋設された芯金であり、芯金２は中央部がスプロケットとの係合部２ａであり、左右の翼部２ｂ、２ｃがゴム弾性体１中に埋設されている。３はこの翼部２ｂの外側に埋設されたスチ−ルコ−ドである。そして、芯金２からゴム弾性体１の内側に突出する一対の突起２ｄが備えられている。４ａ、４ｂはゴム弾性体１の外周側に備えられた一直線状のラグであり、交互に長短ラグ４ａ、４ｂが配置されている。５はスプロケットとの係合穴であり、隣り合う芯金２、２の中央部２ａ、２ａの間に形成され、ゴム弾性体１の内外面を貫いて形成されている。
【０００４】
【発明が解決しようとする課題】
しかるに、この種従来のゴムクロ−ラの欠点はオペレ−タ−に対する振動と、係合穴５を通り抜けた泥玉の発生である。前者はゴムクロ−ラの内周面を転動する転輪１０がラグ４ａ、４ｂ上にある時とその間にある時が交互に来るが、ラグ４ａ、４ｂの上にある場合と、これより外れた場合とでは接地面に対して支えがある場合とない場合とが交互に来るものであり、このため、転輪１０が上下動することになり、振動の発生は避けられなかった。
【０００５】
又、係合穴５近傍に付着した泥はスプロケット歯２０に押されて固まり、これが泥玉状となって外部へ落下するため、泥玉が他の作物の上に落ちることがあり、好ましい現象ではなかった。
【０００６】
【課題を解決するための手段】
本発明は以上のような従来技術に鑑みてなされたものであって、その要旨は、無端ゴム弾性体と、この長手方向に一定ピッチをもって埋設された芯金と、この芯金に対し外側より囲んでなるスチ−ルコ−ドと、芯金の間に形成されたスプロケットとの係合部と、無端ゴム弾性体の外周面に形成したラグと、からなるゴムクロ−ラであって、スプロケットとの係合部は有底の窪みをなしていることを特徴とするものである。
【０００７】
そして、このラグは、当該有底の窪みの外側に形成されるのがよく、更に言えば、かかるラグは、ゴム弾性体の幅方向に向かって傾斜配置され、更に、ゴム弾性体の幅方向の左右の半分視で、幅方向端部に達する長ラグと中途で途切れる短ラグとが交互に配置されたゴムクロ−ラである。
【０００８】
【発明の実施の形態】
本発明の最大の特徴は、スプロケットとの係合部が有底の窪みをなしていることである。従来のこの種ゴムクロ−ラにあっては、スプロケットとの係合部が必ず内外面を貫く構造であった。このため、この係合穴を通過した泥は玉状になって外側に排出され、これが隣の作物の上に落とされるなどという問題点が指摘されていたところ、本発明はこの泥玉状の排出物をなくしたものである。尚、泥等がかかる有底の窪み内に溜ることが考えられていたが、主として湿地を走行するゴムクロ−ラにあっては、この窪み内に入り込む泥はいずれも水気が多分に含んだものであって、この窪み内で固まってしまうことはなく、十分実用に供されることが分かったものである。
【０００９】
このように、係合穴を有底の窪みとしたことの他の特徴は、ゴム弾性体の外周側に形成するラグを任意の配置にできることである。即ち、従来のゴムクロ−ラにあっては、一定のピッチをもって係合穴が必ず存在したためにそのラグの配置の自由度は少なかったが、本発明の場合には係合穴がないため、ラグ配置の自由度は極めて高いものとなったのである。従って、例えば振動の防止対策を図るにしても、推進力を大きくするにしてもその目的にあったラグの選択が可能となったものである。
【００１０】
尚、スプロケットとの係合部が有底の窪みをなしているところ、この有底の窪み部分のゴムの厚みはそれほど厚いものではない。従って、ゴム弾性体のかかる窪み部に対応する部位をやや肉盛とする場合もある。この点につき更に言及すれば、有底の窪みの部位に対応してラグを設けることが推奨されるものである。
【００１１】
かかるラグについて言えば、振動の発生を低減させるために、ゴム弾性体の幅方向に向かって傾斜配置され、更に、推進力を大きくするためにゴムクロ−ラの外表面の泥を落とす必要があり、このためには、ゴム弾性体の幅方向の左右の半分視で見た場合、ゴム弾性体の幅方向端部に達するラグ（長ラグ）と中途で途切れるラグ（短ラグ）とが交互に配置されたゴムクロ−ラであるのがよい。
【００１２】
ラグを前者のような構造にすることにより、振動の発生の原因となる転輪の走行時に、この転輪がラグ上に常にあるため転輪の上下動が少なくなり、結果として振動の発生は少なくなるもので、一方、後者の構造とすることにより、ラグ間に挟まった泥に対してその内の一部の剥離・落下が促され、推進力の向上につながることになる。
【００１３】
【実施例】
以下、本発明のゴムクロ−ラを実施例をもって更に詳細に説明する。図１は本発明のゴムクロ−ラの第１例の内周側平面図、図２は外周側平面図、図３はＡ−Ａ線での断面図である。又、図４は窪み部における長手方向の拡大断面図であり、図５はその幅方向の拡大断面図である。
【００１４】
図中、１はゴムクロ−ラの基体をなすゴム弾性体であり、図にあって、上下方向に無端状に連結している。２はゴム弾性体中に埋設された芯金であって、ゴム弾性体１の長手方向に一定ピッチをもって埋設されている。かかる芯金２において左右の翼部２ｂ、２ｃがゴム弾性体中に埋設され、その中央部２ａはスプロケット歯２０と係合する部位である。そして、芯金２にあっては、一対の突起２ｄが中央部２ａを挟んで立設され、これがゴム弾性体１の内面より突出している。３はスチ−ルコ−ドであり、芯金２の外周側を包んでゴム弾性体１の長手方向に向かって埋設されている。５０は芯金２の中央部２ａの間に形成されたスプロケット歯２０との係合部である窪みであり、内外面に貫通しない有底構造をなしている。
【００１５】
この窪み５０とスプロケット歯２０との関係は、スプロケット歯２０の歯高（Ｈ）よりも若干深く（Ｄ）形成され、走行の際にスプロケット歯２０は芯金２の中央部２ａに接触するが、窪み５０の内面５００  に接触しない方が好ましい。
【００１６】
一方、ラグ４ａ、４ｂはゴムクロ−ラの幅方向に長短のラグが交互に配置され、両者はその中央部が山形をなし、その山形の頂点に有底の窪み５０をふさぐ格好でラグ４ａ、４ｂが配置されている。そして、ラグ４ａ、４ｂは頂部より左右になだらかに傾斜しており、ラグ４ａは更に幅方向に水平に伸びて長ラグとなし、ラグ４ｂはなだらかな傾斜をもって終わる短ラグとなっている。
【００１７】
点線で示す転輪１０は突起２ｄを跨いでゴムクロ−ラの内表面を走行するものであり、これは次々にラグ４ａ、４ｂの上に次々に乗り上げつつ走行することになり、転輪１０が走行する部位のラグ４ａ、４ｂの間隔は比較的狭くなっているため、転輪１０の上下動は比較的少なくなる。
【００１８】
一方、ラグ４ａ、４ｂにあって、ラグ４ｂの先端部はラグ４ａの場合と異なり、水平部が欠落している。従って、ラグ４ｂの先端とラグ４ａの水平部とで囲まれる平面Ａ、Ｂは比較的ラグ間が広くなっている。このため、この間に挟まれた泥がゴムクロ−ラと共に持ち上がっても剥離し易く、落下することになる。そして、ゴムクロ−ラが再度接地する際にはラグ４ａの水平部位には泥がついていないため、推進力が働くことになる。ラグ間に泥が完全に詰まったままで接地した場合には推進力の伝達はほとんどなく、ラグが空回りすることとなるが、本発明の場合には推進力は確実に伝達されることとなるものである。ラグ４ａ、４ｂについて言えば、ラグの背丈は全て一律のものでもよいが、図の例ではラグ４ａの窪み５０と対応する部位が若干背丈の低いものとなっている。
【００１９】
図６は本発明のゴムクロ−ラの第２例の外周側平面図である。この例にあっては、窪み５０の点については前例と同様の関係を有し、ラグは「ヘ」字状に交互に曲げられたものであり、その頂部が窪み５０に対応するものである。そして、長ラグ側１４ａはほぼ同じ背丈をもって伸びており、短ラグ側１４ｂは頂部より徐々に背丈の低いものとなっている。転輪１０及び泥の排出機能にあっては前記したゴムクロ−ラの例とほぼ同じである。尚、短ラグ１４ｂ側の背丈は長ラグ側１４ａの背丈と同じにすることもでき、場合によっては、窪み５０に対応する部位の背丈を若干低くすることもできる。
【００２０】
図７は本発明のゴムクロ−ラの第３例の外周側平面図である。この例にあっては、窪み４０の点については前例と同様の関係を有し、一方、ラグ２４は中央部が傾斜部をなし、先端に水平部を有する形状となっている。傾斜部は窪み５０に対応するものである。水平部を備えた側が長ラグ側２４ａとなるもので、水平部を持たない側が短ラグ２４ｂとなるものである。尚、かかるラグ２４は背丈はほぼ同じ高さであるが、窪み５０に対応する部位の背丈を若干低くすることもできる。転輪１０及び泥の排出機能にあっては前記したゴムクロ−ラの例とほぼ同じであるため省略する。
【００２１】
【発明の効果】
本発明は以上の通りであり、係合穴から抜け出した泥玉の発生はなくなり、かつ、ラグの配置が比較的自由な配置とすることができるため、振動の低減にもつながり実用上大きな特徴を有するゴムクロ−ラが提供できたものである。
【図面の簡単な説明】
【図１】図１は本発明のゴムクロ−ラの第１例の内周側平面図である。
【図２】図２は図１のゴムクロ−ラの外周側平面図である。
【図３】図３はＡ−Ａ線での断面図である。
【図４】図４は窪み部における長手方向の拡大断面図である。
【図５】図５はその幅方向の拡大断面図である。
【図６】図６は本発明のゴムクロ−ラの第２例の外周側平面図である。
【図７】図７は本発明のゴムクロ−ラの第３例の外周側平面図である。
【図８】図８はこの従来のゴムクロ−ラの内周側平面図である。
【図９】図９は図８のゴムクロ−ラの外周側平面図である。
【図１０】図１０はＢ−Ｂ線での断面図である。
【符号の説明】
１‥ゴム弾性体、
２‥芯金、
２ａ‥芯金の中央部（スプロケットとの係合部）、
２ｂ、２ｃ‥芯金の翼部、
２ｄ‥突起、
３‥スチ−ルコ−ド、
４ａ、４ｂ、１４ａ、１４ｂ、２４ａ、２４ｂ‥ラグ、
５‥スプロケットとの係合穴、
１０‥転輪、
２０‥スプロケット歯、
５０‥窪み、
５００  ‥窪みの内面、
Ａ、Ｂ‥平面部。
【図１】
2004216936.tif 000003
【図２】
2004216936.tif 000004
【図３】
2004216936.tif 000005
【図４】
2004216936.tif 000006
【図５】
2004216936.tif 000007
【図６】
2004216936.tif 000008
【図７】
2004216936.tif 000009
【図８】
2004216936.tif 000010
【図９】
2004216936.tif 000011
【図１０】
2004216936.tif 000012